(57)【要約】【課題】  家庭用電気製品には、種々の加熱部分を有する装置が存在する。このような装置であっても、内部が汚れる、悪臭が発生する、汚染物質が排出される等の問題があった。従来は、わずかであるため我慢したり、比較的安価であるため買い換えたりしていた。  そこで、家電用の加熱部分であって、上記のような問題点を極力解消したヒーターユニットを提供する。【解決手段】  加熱部分の近傍に該加熱部分によって加熱され活性化する光触媒を有するもの。【選択図】  図１
2005140459.tif 000002
【特許請求の範囲】
【請求項１】
加熱部分の近傍に該加熱部分によって加熱され活性化する光触媒を有する家電用ヒーターユニット。
【請求項２】
該加熱部分は、伝熱線による電気ヒーターである請求項１記載の家電用ヒーターユニット。
【発明の詳細な説明】
【技術分野】
【０００１】
本発明は、家電用ヒーターユニットに関するものである。
【背景技術】
【０００２】
家電（家庭用電気製品）には、種々の加熱装置、又は加熱部分を有する装置が存在する。例えば、暖房器具、調理器具、化粧器具等である。具体的には、ヘヤードライヤー、トースター、電気暖房器等である。
【０００３】
このような加熱部分を有する装置であっても、内部が汚れる、悪臭が発生する、汚染物質が排出される等の問題があった。従来は、わずかであるため我慢したり、比較的安価であるため買い換えたりしていた。
しかし、環境問題がクローズアップされてきていることと、無駄を省くという観点から上記のようなことも問題になりつつある。
【発明の開示】
【発明が解決しようとする課題】
【０００４】
そこで、家電用の加熱部分であって、上記のような問題点を極力解消したヒーターユニットを提供する。
【課題を解決するための手段】
【０００５】
以上のような状況に鑑み、本発明者は鋭意研究の結果本発明家電用ヒーターユニットを完成したものであり、その特徴とするところは、加熱部分の近傍に該加熱部分によって加熱され活性化する光触媒を有する点にある。
【０００６】
ここでいう加熱部分とは、直接温度が上がる部分であり、電熱式のものでは電熱線そのもの（カバー等はあってもよい）、ランプ式のものではそのランプそのもの、その他発熱するものすべてをさす。
【０００７】
家電とは、家庭用電化製品をいい一般的な概念として使用する。ヒーターユニットとは、加熱部分及びそれに付属する部分をいい、家電の一部を構成するものである。
家電の例としては、家庭用乾燥機、床暖房装置、電気カーペット、座椅子、ホームコタツ、電気ストーブ、浴室暖房装置、電気毛布、加熱型加湿器、石油ファンヒーター、ＩＨクッキングヒーター、炊飯器、電気ポット、オーブンレンジ、トースター、暖房機、ホームベーカリー、コーヒーメーカー、ガスグリル、ガステーブル、赤外線ストーブ、石油遠赤ヒーター等であるが、これらに限定するものでなく、加熱部分があり、家庭で使用するものはすべて含む。
【０００８】
光触媒とは、電磁波（紫外線、可視光等）によって励起され酸化触媒等として働くものをいう。現在では、酸化チタンのアナターゼ型結晶がよく知られている。粒子のサイズは、光触媒として市販されているものでよい。数ｎｍ〜数μｍ程度である。
また、取扱い上の観点から、これらの微粉末を種々の担体に担持させたものや、それ自身接着剤で多数固着して大きくしたものでもよい。担体としては、珪砂やバルーン等どのようなものでもよい。また、担体に接着するときや自己接着のときの接着剤としては、シリコン等の分解されにくにものやセメント等の無機系のもの、更にはチタンアルコキシド等を使用するとよい。
【０００９】
本発明は、光触媒が加熱部分によって加熱され、その加熱によって励起、活性化し、付近のものを酸化、分解する。このように、光触媒が加熱のみによっても活性化されることが本発明の根本である。
【００１０】
加熱部分による加熱の程度は、それぞれの装置によって異なるが、最低でも５０℃や６０℃にはなるため、活性化は可能である。実際には、ほとんどの加熱部分がその近傍では１００℃以上になっているので十分である。例えば、トースターやドライヤーでは高い部分では数百度にもなる。温度によって活性は変わるが、少なくとも従来よりはよくなるため問題はない。
【００１１】
次に光触媒の設け方について説明する。
光触媒が加熱されその付近を空気が通過し、それが装置内を循環したり、対象物に向けて放出されることが好ましい。
また、光触媒は粒として網目の袋や容器に充填するか、フィルターのような不織布や多孔体に固着させるのが便利である。例えば、ヘヤードライヤーでは、出口に空気が十分通過するように網袋に充填して設ける等である。
【発明の効果】
【００１２】
本発明家電用ヒーターユニットには次のような大きな利点がある。
（１）  光触媒が加熱されているため、その空気が通過する部分や室内に存在する有機物は分解されるか酸化される。よって、汚れが分解されたり、悪臭が消えたりする。
（２）  家電として、通常の使用方法で使用するだけでよい。よって、光触媒の存在を知らなくとも効果を発揮する。
（３）  ほぼ永久に効果が持続する。
（４）  加熱部分があれば、どのような家電にも応用できる。
【発明を実施するための最良の形態】
【００１３】
図１は、本発明家電用ヒーターユニット１を設けたドライヤー２の例を示す概略断面図である。ヒーターユニット１は、加熱部分である電熱ヒーター３と光触媒フィルター４とから構成されている。どちらも空気の流通を十分確保できる構造である。光触媒フィルター４は、粗い金属製網で薄い箱状の容器を作り、その中に珪砂に担持させた光触媒を充填したものである。光触媒粒子も大きくして空気抵抗を軽減している。珪砂のサイズは約１ｍｍ程度である。また、箱状容器の中間部にも空気通る孔を設けてもよい。
【００１４】
ヒーターユニット１の後方にはモーター５で駆動されるファン６が設けられている。即ち、光触媒部分以外は通常のヘアドライヤとほとんど同じ構造である。これで、通常通り使用すると、加熱部分３によって光触媒が加熱され活性化される。そして、この部分を通過する空気に悪臭成分や汚染物質が含有されていると、そこで分解されることとなる。また、この部分には分解すべき成分がなくとも、ドライヤから出た部分にあっても有効である。
【００１５】
図２は、本発明ヒーターユニット１をオーブントースター７に応用した例である。ヒーターユニットは、一体のものとはなっていない。ヒーター８が、中間部の網棚９の上下に２本設けられている。光触媒ユニット１０は背面部分に設けられている。これは、網状の容器に光触媒粒子を充填したものである。積極的にファンで送風はしていないが、室内の温度差による対流で活性化された酸素や水酸イオンが各所に送られる。
内壁等に汚れ等があればそれを酸化分解する。光触媒粒子の上に直接有機物が付着しないため、半永久的に使用できる。
【図面の簡単な説明】
【００１６】
【図１】本発明家電用ヒーターユニット１を設けたドライヤー２の例を示す概略断面図である。
【図２】本発明ヒーターユニット１をオーブントースター７に応用した例の概略断面図である。
【符号の説明】
【００１７】
１  ヒーターユニット
２  ドライヤー
３  加熱部分
４  光触媒フィルター
５  モーター
６  ファン
７  オーブントースター
８  ヒーター
９  網棚
１０  光触媒ユニット
【図１】
2005140459.tif 000003
【図２】
2005140459.tif 000004